(57)【特許請求の範囲】
【請求項１】
ユニット建物を構成する建物ユニットの床枠内に区画されて該床枠の上面より低段差をなすバス設置面にユニットバスを設置するユニットバスの設置構造において、
ユニットバスが防水パンの下面に固定した直線状の脚フレームを建物ユニットの床枠の上面からバス設置面に送り込まれて設置されるものであり、
ユニットバスをバス設置面に送り込む方向に沿う脚フレームの前端部を防水パンの前縁部より前方側に延長させてなることを特徴とするユニットバスの設置構造。
【請求項２】
ユニット建物を構成する建物ユニットの床枠内に区画されて該床枠の上面より低段差をなすバス設置面にユニットバスを設置するユニットバスの設置構造において、
ユニットバスが防水パンの下面に固定した、該ユニットバスをバス設置面に送り込む方向に沿って直線状をなす脚フレームを建物ユニットの床枠の上面からバス設置面に送り込まれて設置されるものであり、
ユニットバスをバス設置面に送り込む方向に沿って直線状をなす脚フレームの後端部を防水パンの後縁部より前方側に短縮させてなることを特徴とするユニットバスの設置構造。
【請求項３】
ユニット建物を構成する建物ユニットの床枠内に区画されて該床枠の上面より低段差をなすバス設置面にユニットバスを設置するユニットバスの設置構造において、
ユニットバスが防水パンの下面に固定した直線状の脚フレームを建物ユニットの床枠の上面からバス設置面に送り込まれて設置されるものであり、
ユニットバスをバス設置面に送り込む方向に沿う各フレームの前端部を防水パンの前縁部より前方側に延長させるとともに、
ユニットバスをバス設置面に送り込む方向に沿う各フレームの後端部を防水パンの後縁部より前方側に短縮させてなることを特徴とするユニットバスの設置構造。
【請求項４】
前記ユニットバスをバス設置面に送り込む方向に沿う脚フレームの前端部の下面角部を面取り部にしてなる請求項１又は３に記載のユニットバスの設置構造。
【請求項５】
前記防水パンが洗い場パンと浴槽パンに分割され、これらの洗い場パンと浴槽パンが脚フレームに固定されてなる請求項１〜４のいずれかに記載のユニットバスの設置構造。
【発明の詳細な説明】
【技術分野】
【０００１】
本発明はユニットバスの設置構造に関する。
【背景技術】
【０００２】
ユニット建物を構成する建物ユニットの床枠内に区画されて該床枠の上面より低段差をなすバス設置面にユニットバスを設置するユニットバスの設置構造として、特許文献１に記載のものがある。特許文献１に記載のユニットバスの設置構造は、ユニットバスが防水パン（洗い場パン及び浴槽パン）の下面に固定した折れ曲がり状の脚フレームを建物ユニットの床枠の上面からバス設置面に送り込まれて設置される。脚フレームは洗い場パンを支持する上段部と浴槽パンを支持する下段部を折れ曲がり部で接続し、洗い場パンが浴槽パンに対して高段差をなす段差構造を備える。脚フレームの上段部は建物ユニットの床フレームにアジャストボルトを介して支持され、脚フレームの下段部は建物ユニットの床フレームに直接支持される。
【特許文献１】特開2004-116159
【発明の開示】
【発明が解決しようとする課題】
【０００３】
特許文献１に記載のユニットバスの設置構造には以下の問題点がある。
(1)防水パンの下面に固定される脚フレームが複雑な折れ曲がり状をなしていて製作困難である。
【０００４】
(2)ユニットバスをバス設置面に送り込む方向に沿う脚フレームの前端部（下段部）を防水パンの前縁部より後方側に短縮させている。このため、脚フレームの前端部を建物ユニットの床枠の上面からバス設置面に投入するとき、ユニットバスの前壁面が前方に大きく傾き、建物ユニットの前方の壁面に干渉し易くなり、ユニットバスの設置作業性を損なう。
【０００５】
(3)ユニットバスをバス設置面に送り込む方向に沿う脚フレームの後端部（上段部）に、建物ユニットの床フレームに支持させるアジャストボルトを設けている。このため、脚フレームの後端部を建物ユニットの床枠の上面からバス設置面に落とし込むとき、アジャストボルトが脚フレームのスムースな投入の障害になり、ユニットバスの設置作業性を損なう。
【０００６】
本発明の課題は、ユニットバスの防水パンの下面に固定される脚フレームを簡易化するとともに、ユニットバスの設置作業性を向上することにある。
【課題を解決するための手段】
【０００７】
請求項１の発明は、ユニット建物を構成する建物ユニットの床枠内に区画されて該床枠の上面より低段差をなすバス設置面にユニットバスを設置するユニットバスの設置構造において、ユニットバスが防水パンの下面に固定した直線状の脚フレームを建物ユニットの床枠の上面からバス設置面に送り込まれて設置されるものであり、ユニットバスをバス設置面に送り込む方向に沿う脚フレームの前端部を防水パンの前縁部より前方側に延長させてなるようにしたものである。
【０００８】
請求項２の発明は、ユニット建物を構成する建物ユニットの床枠内に区画されて該床枠の上面より低段差をなすバス設置面にユニットバスを設置するユニットバスの設置構造において、ユニットバスが防水パンの下面に固定した、該ユニットバスをバス設置面に送り込む方向に沿って直線状をなす脚フレームを建物ユニットの床枠の上面からバス設置面に送り込まれて設置されるものであり、ユニットバスをバス設置面に送り込む方向に沿って直線状をなす脚フレームの後端部を防水パンの後縁部より前方側に短縮させてなるようにしたものである。
【０００９】
請求項３の発明は、ユニット建物を構成する建物ユニットの床枠内に区画されて該床枠の上面より低段差をなすバス設置面にユニットバスを設置するユニットバスの設置構造において、ユニットバスが防水パンの下面に固定した直線状の脚フレームを建物ユニットの床枠の上面からバス設置面に送り込まれて設置されるものであり、ユニットバスをバス設置面に送り込む方向に沿う各フレームの前端部を防水パンの前縁部より前方側に延長させるとともに、ユニットバスをバス設置面に送り込む方向に沿う各フレームの後端部を防水パンの後縁部より前方側に短縮させてなるようにしたものである。
【００１０】
請求項４の発明は、請求項１又は３の発明において更に、前記ユニットバスをバス設置面に送り込む方向に沿う脚フレームの前端部の下面角部を面取り部にしてなるようにしたものである。
【００１１】
請求項５の発明は、請求項１〜４のいずれかの発明において更に、前記防水パンが洗い場パンと浴槽パンに分割され、これらの洗い場パンと浴槽パンが脚フレームに固定されてなるようにしたものである。
【発明の効果】
【００１２】
（請求項１〜３）
(a)防水パンの下面に固定される脚フレームが単純な直線状をなすものであり、製作容易である。防水パンにおける、洗い場側と浴槽側の段差は、防水パンの洗い場側の下面と脚フレームとの間にパイプ状スペーサ等を挟むことにて吸収される。
【００１３】
（請求項１、３）
(b)ユニットバスをバス設置面に送り込む方向に沿う脚フレームの前端部を防水パンの前縁部より前方側に延長させた。従って、脚フレームの前端部を建物ユニットの床枠の上面からバス設置面に投入するとき、ユニットバスの前壁面の前方への傾きを緩和する。ユニットバスの前壁面が建物ユニットの前方の壁面に干渉し難くなり、ユニットバスの設置作業性が向上する。
【００１４】
（請求項２、３）
(c)ユニットバスをバス設置面に送り込む方向に沿う脚フレームの後端部を防水パンの後縁部より前方側に短縮させた。従って、脚フレームの後端部を建物ユニットの床枠の上面からバス設置面に落とし込むとき、脚フレームの後端部はスムースに、しかも早く落ち、ユニットバスの設置作業性が向上する。
【００１５】
（請求項４）
(d)ユニットバスをバス設置面に送り込む方向に沿う脚フレームの前端部の下面角部を面取り部にした。従って脚フレームの前端部をスムースにバス設置面に導入でき、ユニットバスの設置作業性が向上する。
【００１６】
（請求項５）
(e)防水パンが洗い場パンと浴槽パンに分割され、これらの洗い場パンと浴槽パンが脚フレームに固定されることにより、洗い場パンと浴槽パンを脚フレームの利用により連結、補強して簡易に一体結合できる。
【発明を実施するための最良の形態】
【００１７】
図１は建物ユニットへのユニットバスの設置構造を示す側断面図、図２はユニットバスを示す側面図、図３は防水パンを示す斜視図、図４は防水パンへの脚フレームの固定構造を示す斜視図、図５は脚フレームの洗い場パンとの固定部を示す斜視図、図６は脚フレームの浴槽パンとの固定部を示す斜視図、図７は建物ユニットのバス設置面への脚フレームの固定構造を示す断面図、図８は建物ユニットのバス設置面へのユニットバスの送り込み状態を示す側面図である。
【実施例】
【００１８】
図１に示したユニットバスの設置構造は、ユニット建物を構成する建物ユニット１０の床枠１１内に区画されて該床枠１１の上面より低段差をなすバス設置面Ａにユニットバス２０を設置するものである。
【００１９】
建物ユニット１０は、床枠１１と不図示の天井枠の相対応するコーナー部間に不図示の柱を立設した骨組構造体である。建物ユニット１０は、４本の床大梁１１Ａを四角枠状に接合し、相対する床大梁１１Ａに床小梁１１Ｂを架け渡して床枠１１を形成し、複数本の床小梁１１Ｂの上に支持される床根太１２の上に床面１３を設ける。また、建物ユニット１０は、相隣る柱の間に壁面１４を設ける。
【００２０】
建物ユニット１０は、床枠１１の相対する床大梁１１Ａと床小梁１１Ｂにより上述のバス設置面Ａを区画し、床大梁１１Ａの下部と床小梁１１Ｂの下部の間に、２本の平行をなすＣ字状溝形鋼１５を架け渡す。各溝形鋼１５の高さは床大梁１１Ａ、床小梁１１Ｂの高さより十分低く、バス設置面Ａ内の溝形鋼１５を除く範囲には溝形鋼１５の上面に載る合板１６が敷き設けられる。各溝形鋼１５の溝内面（溝底面及び溝両側面）には合板１７を貼り設け、この溝を後述するようにユニットバス２０の防水パン２１に固定した脚フレーム３０がバス設置面Ａ内で落とし込まれる落とし込み溝１８とする（図７）。
【００２１】
ユニットバス２０は、図２に示す如く、防水パン２１（洗い場パン２２と浴槽パン２３の結合体）の外周に壁パネル２４を立て、壁パネル２４の上部に天井パネル２５を設けて構成される。本実施例の防水パン２１は、図３、図４に示す如く、洗い場パン２２と浴槽パン２３に分割され、洗い場パン２２の嵌合部と浴槽パン２３の嵌合部を互いに嵌合し、洗い場パン２２と浴槽パン２３が２本の平行配置される、直線状の脚フレーム３０、３０に固定される。
【００２２】
尚、洗い場パン２２と脚フレーム３０の固定構造は、図４、図５に示す如く、洗い場パン２２を裏返し、ボルト３１及びスプリングワッシャ３２を直線状角パイプからなる脚フレーム３０の下面に設けた大径孔に通し、ボルト３１を該脚フレーム３０の上面（洗い場パン２２と接する面）に設けたボルト挿通孔に通し、ボルト３１の挿通端に挿着したワッシャ３３Ａ、パイプ状スペーサ３４、ワッシャ３３Ｂを介して、ボルト３１を洗い場パン２２の下面に螺着する。また、浴槽パン２３と脚フレーム３０の固定構造は、図４、図６に示す如く、浴槽パン２３を裏返し、ボルト３５及びスプリングワッシャ３６を直線状角パイプからなる脚フレーム３０の下面に設けた大径孔に通し、ボルト３５を該脚フレーム３０の上面（浴槽パン２３に接する面）に設けたボルト相通孔に通し、ボルト３５を浴槽パン２３の下面に螺着する。脚フレーム３０の側面にはＬ形固定板３７の垂直板がネジ止めされ、脚フレーム３０にネジ止めされた固定板３７の水平板は該脚フレーム３０が溝形鋼１５の落とし込み溝１８に落とし込まれたバス設置面Ａの合板１６に固定される（図７）。
【００２３】
ユニットバス２０は、図３に示す如く、洗い場パン２２にヘアキャッチャー２２Ａ等が設けられる排水口２２Ｂを備える。ユニットバス２０は、浴槽パン２３の上に浴槽２６を載置し、浴槽パン２３にはフロート目皿２３Ａ等が設けられる排水口２３Ｂを備える。ユニットバス２０は、防水パン２１の下側に、洗い場パン２２の排水口２２Ｂと浴槽パン２３の排水口２３Ｂが接続される排水トラップ２７を備える。排水トラップ２７は建物ユニット１０のバス設置面Ａ上で、バス設置面Ａに設置される脚フレーム３０の側傍に配置される。脚フレーム３０は排水トラップ２７を予め取付けできる高さを確保するものとされる。
【００２４】
しかるに、ユニットバス２０は、図８に示す如く、防水パン２１の下面に固定された直線状の脚フレーム３０を、建物ユニット１０の床枠１１（床大梁１１Ａ、床小梁１１Ｂ）の上面（床面１３）から、該床枠１１の上面より低段差をなすバス設置面Ａ内の落とし込み溝１８に送り込まれて設置される。これにより、ユニットバス２０の全体を建物ユニット１０の床面１３に対して低く設置し（脚フレーム３０をバス設置面Ａ内の落とし込み溝１８に入れた分、ユニットバス２０を一層低く設置できる）、建物ユニット１０の床面１３と、防水パン２１を構成する洗い場パン２２の洗い場面の段差を低減できる。
【００２５】
尚、建物ユニット１０において、床枠１１の上面（床面１３）とバス設置面Ａの合板１６との境界部には、脚フレーム３０が滑落するスロープを形成するための投入用治具４０が配置される。
【００２６】
このとき、ユニットバス２０をバス設置面Ａに送り込む方向に沿う脚フレーム３０の前端部３０Ａは、図２、図８に示す如く、防水パン２１の前縁部である浴槽パン２３の前縁部より前方側に延長されている。また、脚フレーム３０の前端部３０Ａの下面壁部は面取り部３８とされている。
【００２７】
また、ユニットバス２０をバス設置面Ａに送り込む方向に沿う脚フレーム３０の後端部３０Ｂは、図２、図８に示す如く、防水パン２１の後縁部である洗い場パン２２の後縁部より前方側に短縮されている。
【００２８】
従って、建物ユニット１０のバス設置面Ａへのユニットバス２０の送り込み設置作業は以下の如くになされる（図８）。
(1)建物ユニット１０のバス設置面Ａ内で、落とし込み溝１８に合わせて投入用治具４０を配置する。
【００２９】
(2)建物ユニット１０のバス設置面Ａの落とし込み溝１８に、ユニットバス２０の防水パン２１の下面に固定した脚フレーム３０を位置合わせする。脚フレーム３０をその長手方向に沿って治具４０の上に滑らせながら落とし込み溝１８に入れる。
【００３０】
(3)防水パン２１の浴槽パン２３に設けてある点検口Ｋより、脚フレーム３０に設けてあるＬ形固定板３７の水平板をバス設置面Ａの合板１６にネジ止めする。
【００３１】
本実施例によれば以下の作用効果を奏する。
(a)防水パン２１の下面に固定される脚フレーム３０が単純な直線状をなすものであり、製作容易である。防水パン２１における、洗い場側と浴槽側の段差は、防水パン２１の洗い場側の下面と脚フレーム３０との間にパイプ状スペーサ３４等を挟むことにて吸収される。
【００３２】
(b)ユニットバス２０をバス設置面Ａに送り込む方向に沿う脚フレーム３０の前端部３０Ａを防水パン２１の前縁部より前方側に延長させた。従って、脚フレーム３０の前端部３０Ａを建物ユニット１０の床枠１１の上面からバス設置面Ａに投入するとき、ユニットバス２０の前壁面（壁パネル２４）の前方への傾きを緩和する。ユニットバス２０の前壁面（壁パネル２４）が建物ユニット１０の前方の壁面１４に干渉し難くなり、ユニットバス２０の設置作業性が向上する。
【００３３】
(c)ユニットバス２０をバス設置面Ａに送り込む方向に沿う脚フレーム３０の後端部３０Ｂを防水パン２１の後縁部より前方側に短縮させた。従って、脚フレーム３０の後端部３０Ｂを建物ユニット１０の床枠１１の上面からバス設置面Ａに落とし込むとき、脚フレーム３０の後端部３０Ｂはスムースに、しかも早く落ち、ユニットバス２０の設置作業性が向上する。
【００３４】
(d)ユニットバス２０をバス設置面Ａに送り込む方向に沿う脚フレーム３０の前端部３０Ａの下面角部を面取り部３８にした。従って脚フレーム３０の前端部３０Ａをスムースにバス設置面Ａに導入でき、ユニットバス２０の設置作業性が向上する。
【００３５】
(e)防水パン２１が洗い場パン２２と浴槽パン２３に分割され、これらの洗い場パン２２と浴槽パン２３が脚フレーム３０に固定されることにより、洗い場パン２２と浴槽パン２３を脚フレーム３０の利用により連結、補強して簡易に一体結合できる。
【００３６】
以上、本発明の実施例を図面により詳述したが、本発明の具体的な構成はこの実施例に限られるものではなく、本発明の要旨を逸脱しない範囲の設計の変更等があっても本発明に含まれる。例えば本発明において、洗い場パンと浴槽パンは分割されずに一体成形されるものでも良い。また、浴槽パンと浴槽を一体成形するものでも良い。
【図面の簡単な説明】
【００３７】
【図１】図１は建物ユニットへのユニットバスの設置構造を示す側断面図である。
【図２】図２はユニットバスを示す側面図である。
【図３】図３は防水パンを示す斜視図である。
【図４】図４は防水パンへの脚フレームの固定構造を示す斜視図である。
【図５】図５は脚フレームの洗い場パンとの固定部を示す斜視図である。
【図６】図６は脚フレームの浴槽パンとの固定部を示す斜視図である。
【図７】図７は建物ユニットのバス設置面への脚フレームの固定構造を示す断面図である。
【図８】図８は建物ユニットのバス設置面へのユニットバスの送り込み状態を示す側面図である。
【符号の説明】
【００３８】
１０  建物ユニット
１１  床枠
１８  落とし込み溝
２０  ユニットバス
２１  防水パン
２２  洗い場パン
２３  浴槽パン
３０  脚フレーム
３０Ａ  前端部
３０Ｂ  後端部
Ａ  バス設置面
【図１】
0005114291.tif 000002
【図２】
0005114291.tif 000003
【図３】
0005114291.tif 000004
【図４】
0005114291.tif 000005
【図５】
0005114291.tif 000006
【図６】
0005114291.tif 000007
【図７】
0005114291.tif 000008
【図８】
0005114291.tif 000009